(57)【特許請求の範囲】
【請求項１】
半透明な搬送ベルト上に物品を戴置させて移動させる搬送装置と、前記搬送装置を支持する支持架台と、前記搬送ベルトの下方に、半導体発光素子をプリント基板上に戴置、固定したＬＥＤ装着体を配設し、搬送ベルトを下方から照射する照射装置と、前記搬送ベルトを作動、制御すると共に、前記半導体発光素子の発光を制御する制御装置とから構成され、前記ＬＥＤ装着体は、プリント基板上に所定間隔で白色チップ及びＲＧＢチップを並列配置し、対向する白色チップとＲＧＢチップとの間に配線カプラを配置したことを特徴とする物品検査装置。
【請求項２】
前記プリント基板の白色チップ近傍及びＲＧＢチップ近傍に、複数の微小孔を穿設したことを特徴とする請求項１に記載された物品検査装置。
【請求項３】
前記ＲＧＢチップは、窓枠内に赤色（Ｒ）を発光する半導体発光素子（ＬＥＤ）、緑色（Ｇ）を発光する半導体発光素子（ＬＥＤ）、及び青色（Ｂ）を発光する半導体発光素子（ＬＥＤ）を配置し、その上にシリコン、エポキシ等の材料によって被覆層を形成したものであることを特徴とする請求項１に記載された物品検査装置。
【請求項４】
前記制御装置は、複数の半導体発光素子を各別に発光可能にすると共に、各別に半導体発光素子の発光量を設定できるものであることを特徴とする請求項１に記載された物品検査装置。
【発明の詳細な説明】
【技術分野】
【０００１】
本発明は、野菜、果物等の食料品、飲料品、医薬品、包装容器、電子部品等の物品を搬送しつつ、物品に毛髪、ごみ、小さな虫等の異物が混入していないか、表面に損傷、破損等の不良個所がないか検査し、物品を選別するために使用する物品検査装置に関する。
【背景技術】
【０００２】
従来、物品をベルトコンベア等の搬送装置によって搬送しつつ、物品に毛髪、ごみ、小さな虫等の異物が混入していないか、表面に損傷、破損等の不良個所がないか検査する装置として、可視光線、Ｘ線、磁界を利用するものが知られている。
しかし、Ｘ線、磁界を利用する検査装置は、検査作業者の人体への影響もあり、取り扱いにも注意が必要である上、カメラ等の撮像装置による自動検査を行うものが殆どであるため、非常に高価なものである。
【０００３】
そのため、野菜、果物等の食料品にあっては、ベルトコンベア等の搬送装置に食料品を戴置して搬送する過程で可視光線を照射し、作業者が食料品の内部を透かして見て、食料品に毛髪、ごみ、小さな虫等の異物が混入していないか検査していた。
そして、このような検査作業をより効率化するものとして、光透過性を有する半透明な薄肉の搬送ベルトを使用し、搬送ベルトの下方から蛍光灯によって白色光を照射し、食料品の内部を透かして見るようにした検査装置が知られている（特許文献１参照）。
【０００４】
しかし、特許文献１に記載された検査装置では、蛍光灯を使用しているため、光がちらつき、検査作業者が疲労し易く、短時間で作業効率が低下すると共に、長期的には視力を損なう虞もあり、健康上にも問題があった。
又、白色光を使用しているため、青色、赤色、黄色等の食料品の色彩によっては、食料品を透過した光、及び搬送ベルトを透過した光によって、食料品の内部を透かして見るのがし難かったりした。
さらに、蛍光灯を使用しているため、消費電力が大きく、電気料金が高額にならざるを得ず、又、照射装置が大きく、装置全体も大型にならざるを得なかった。
【０００５】
そこで、本件出願の発明者等は、かかる問題点を解消することができて、作業者が疲労し難く、作業効率を維持できると共に、視力を損なう虞がなく、健康上も問題なく、目視による検査が効率的にでき、消費電力も小さく、装置全体も小型にすることができる物品検査装置を開発した（特許文献２参照）。
【先行技術文献】
【特許文献】
【０００６】
【特許文献１】意匠登録第１１３５７３２号公報
【特許文献２】特開２０１３−３１２９号公報
【発明の概要】
【発明が解決しようとする課題】
【０００７】
特許文献２に記載された物品検査装置によれば、上記問題点を解消することができるものの、白色に発光するＬＥＤ装着体と、赤色、緑色又は青色に発光するＬＥＤ装着体との形態は略同様であったから、ＬＥＤ装着体の装着時又は交換時等において、両者を間違えて配設してしまう虞があった。
又、白色に発光するＬＥＤ装着体と、赤色、緑色又は青色に発光するＬＥＤ装着体とはそれぞれ別のプリント基板に構成されるから、白色チップとＲＧＢチップのプリント基板上の位置及びピッチが微妙にずれて、搬送ベルトに照射される光にムラが生じ、検査作業者が疲労し易い、短時間で作業効率が低下する、という問題が発生した。
さらに、各ＬＥＤ装着体に電圧を供給する必要があるが、上記ＬＥＤ装着体のような構成では、各ＬＥＤ装着体を配線で連結するのが面倒であり、連結作業には時間を要した。
【０００８】
本発明は、かかる問題点に鑑みて為されたものであって、その目的とするところは、  ＬＥＤ装着体の装着時又は交換時等において、白色に発光するＬＥＤ装着体と、赤色、緑色又は青色に発光するＬＥＤ装着体を間違えて配設する虞がなく、搬送ベルトに照射される光にムラが生じ、検査作業者が疲労し易い、短時間で作業効率が低下する、という問題も発生することなく、しかも、各ＬＥＤ装着体を配線で連結するのが容易であり、連結作業に時間を要しない物品検査装置を提供することにある。
【課題を解決するための手段】
【０００９】
上記目的を達成するために、本発明の物品検査装置は、半透明な搬送ベルト上に物品を戴置させて移動させる搬送装置と、前記搬送装置を支持する支持架台と、前記搬送ベルトの下方に、半導体発光素子をプリント基板上に戴置、固定したＬＥＤ装着体を配設し、搬送ベルトを下方から照射する照射装置と、前記搬送ベルトを作動、制御すると共に、前記半導体発光素子の発光を制御する制御装置とから構成され、
前記ＬＥＤ装着体は、プリント基板上に所定間隔で白色チップ及びＲＧＢチップを並列配置し、対向する白色チップとＲＧＢチップとの間に配線カプラを配置したことを特徴とする。
【００１０】
ここで、前記プリント基板の白色チップ近傍及びＲＧＢチップ近傍には、複数の微小孔を穿設するのが好ましい。
【００１１】
前記ＲＧＢチップは、窓枠内に赤色（Ｒ）を発光する半導体発光素子（ＬＥＤ）、緑色（Ｇ）を発光する半導体発光素子（ＬＥＤ）、及び青色（Ｂ）を発光する半導体発光素子（ＬＥＤ）を配置し、その上にシリコン、エポキシ等の材料によって被覆層を形成したものであることを特徴とする。
【００１２】
前記制御装置は、複数の半導体発光素子を各別に発光可能にすると共に、各別に半導体発光素子の発光量を設定できるものであるのが好ましい。
【発明の効果】
【００１３】
本発明の物品検査装置は、ＬＥＤ装着体を、プリント基板上に所定間隔で白色チップ及びＲＧＢチップを並列配置したものとしたから、ＬＥＤ装着体の装着時又は交換時等において、白色に発光するＬＥＤ装着体と、赤色、緑色又は青色に発光するＬＥＤ装着体とを間違えて配設する虞はなく、搬送ベルトに照射される光にムラが生じ、検査作業者が疲労し易い、短時間で作業効率が低下する、という問題も発生することがない。
【００１４】
さらに、対向する白色チップとＲＧＢチップとの間に配線カプラを配置したものであるから、隣接するＬＥＤ装着体の配線カプラ間を配線で連結することができ、各ＬＥＤ装着体を配線で連結するのが容易であり、連結作業に時間を要しない。
【図面の簡単な説明】
【００１５】
【図１】本発明の物品検査装置の平面図である。
【図２】本発明の物品検査装置において、搬送ベルトを取り外した状態の平面図である。
【図３】本発明の物品検査装置の正面図である。
【図４】本発明の物品検査装置の側面図である。
【図５】図２において、照射装置の設置部を拡大した平面図である。
【図６】図３において、照射装置の設置部を拡大した正面図である。
【図７】図４において、照射装置の設置部を拡大した側面図である。
【図８】支持板上にＬＥＤ装着体を固定、配列した状態の平面図である。
【図９】ＬＥＤ装着体の平面図である。
【図１０】図９において、（Ａ）は白色チップの近傍を拡大した平面図、（Ｂ）はＲＧＢチップの近傍を拡大した平面図である。
【図１１】ＬＥＤ装着体の平面図である。
【図１２】本発明の物品検査装置の正面図である。
【図１３】本発明の物品検査装置の側面図である。
【図１４】本発明の物品検査装置の平面図である。
【発明を実施するための形態】
【００１６】
以下、本発明の物品検査装置の好適な実施形態について、図面を参照して詳細に説明する。
【００１７】
図１は、本発明の物品検査装置の平面図、図２は、物品検査装置において、搬送ベルトを取り外した状態の平面図、図３は、物品検査装置の正面図、図４は、物品検査装置の側面図である。
【００１８】
本発明の物品検査装置１は、搬送装置２と、支持架台３と、照射装置４と、制御装置５とから構成される。
【００１９】
搬送装置２は、側面フレーム１１，１２と、底面フレーム１３と、駆動ローラ１４と、従動ローラ１５と、搬送ベルト１６と、駆動装置１７とから構成される。
側面フレーム１１，１２の下端部には底面フレーム１３の両端部を固定してあり、側面フレーム１１，１２の両端部には駆動ローラ１４と従動ローラ１５とを配置してある。
【００２０】
駆動ローラ１４は、その軸部１４ａの一端部を軸受１８を介して側面フレーム１１に回転自在に支持してあり、他端部を軸受１８を介して側面フレーム１２に回転自在に支持してある。
従動ローラ１５は、その軸部１５ａの一端部を軸受１９を介して側面フレーム１１に回転自在に支持してあり、他端部を軸受１９を介して側面フレーム１２に回転自在に支持してある。
【００２１】
駆動装置１７は、筺体２０内にブラケット２１を介して駆動モータ２２を支持してあり、駆動モータ２２の駆動軸２２ａと駆動ローラ１４の軸部１４ａとは継手２３を介して連結してある。
【００２２】
駆動ローラ１４の胴部１４ｂと従動ローラ１５の胴部１５ｂに亘って搬送ベルト１６を張設してあり、駆動モータ２０を駆動させ、駆動ローラ１４を回転させることによって、搬送ベルト１６は作動し、移動するようになっている。
ここで、搬送ベルト１６としては、透明又は半透明白色のウレタンゴム、エチレン・プロピレンゴム（ＥＰＭ）等の合成ゴムを成形したものを使用する。
【００２３】
支持架台３は、前側支柱３１，３１と、後側支柱３２，３２と、連結部材３３，３３と、連結部材３４，３４と、連結部材３５と、連結部材３６と、キャスター３７，３７，３７，３７とから構成される。
連結部材３３，３３は、前側支柱３１，３１と後側支柱３２，３２の上端部を連結し、連結部材３４，３４は、前側支柱３１，３１と後側支柱３２，３２の下端部を連結し、連結部材３５は、連結部材３３，３３同士を連結し、連結部材３６は、連結部材３４，３４同士を連結してある。
【００２４】
前側支柱３１，３１及び後側支柱３２，３２の下端部に形成した雌ネジ部３１ａ，３１ａ，３２ａ，３２ａと、支持軸３８，３８，３８，３８に形成した雄ネジ部３８ａ，３８ａ，３８ａ，３８ａを螺合することによって、前側支柱３１，３１及び後側支柱３２，３２に支持軸３８，３８，３８，３８を介してキャスター３７，３７，３７，３７を装着してある。
よって、支持軸３８，３８，３８，３８を適宜回転させることによって、前側支柱３１，３１及び後側支柱３２，３２の高さを調整できるようになっている。
【００２５】
連結部材３３，３３の前端部に支持部材３９，３９の下端部を固着すると共に、その上端部を支持軸４０，４０を介して側面フレーム１１の中間部に固定すると共に、後側支柱３２，３２の上端部に支持部材４１，４１を介して側面フレーム１２の中間部を固定することによって、搬送装置２を支持架台３上に戴置してある。
【００２６】
照射装置４は、支持部材５１と、支持板５２，５２，５２と、複数のＬＥＤ装着体５３と、被覆部材５５とから構成される。
支持部材５１の上面には支持板５２，５２，５２をネジ５６，５６，・・・によって固定してあり、図８に示すように、各支持板５２の上面には複数のＬＥＤ装着体５３を所定間隔でネジ５６，５６，・・・によって固定してある。
【００２７】
ＬＥＤ装着体５３は、図９に示すように、プリント基板５７に所定間隔で白色チップ５８及びＲＧＢチップ５９を配置したものである。対向する白色チップ５８とＲＧＢチップ５９との間には、配線カプラ６０を配置してある。又、プリント基板５７の両端部寄りには挿通孔５７ａ，５７ａを穿設してある。
【００２８】
白色チップ５８は、図１０（Ａ）に示すように、青色（Ｂ）を発光する半導体発光素子（ＬＥＤ）６１上にシリコン、エポキシ等の材料を黄色に塗布した被覆層６２を形成したものである。これによって、白色を発光するようになっている。
又、プリント基板５７の白色チップ５８近傍には、熱を放射するための複数の微小孔５８ａ，５８ａ・・・を穿設してある。微小孔５８ａの孔径は０．１〜０．５ｍｍ、ピッチは１．０〜１．５ｍｍであるのが好ましい。
【００２９】
ＲＧＢチップ５９は、図１０（Ｂ）に示すように、窓枠６３内に赤色（Ｒ）を発光する半導体発光素子（ＬＥＤ）６４、緑色（Ｇ）を発光する半導体発光素子（ＬＥＤ）６５及び青色（Ｂ）を発光する半導体発光素子（ＬＥＤ）６６を配置し、その上にシリコン、エポキシ等の材料によって被覆層６７を形成したものである。これによって、赤色、緑色又は青色を個別に発光するようになっている。
又、プリント基板５７のＲＧＢチップ５９近傍には、熱を放射するための複数の微小孔５９ａ，５９ａ・・・を穿設してある。微小孔５９ａの孔径は０．１〜０．５ｍｍ、ピッチは１．０〜１．５ｍｍであるのが好ましい。
【００３０】
以上のように、本発明の物品検査装置１は、ＬＥＤ装着体５３を、プリント基板５７上に所定間隔で白色チップ５８及びＲＧＢチップ５９を並列配置したものとしたから、ＬＥＤ装着体５３の装着時又は交換時等において、白色に発光するＬＥＤ装着体と、赤色、緑色又は青色に発光するＬＥＤ装着体とを間違えて配設することはなく、搬送ベルト１６に照射される光にムラが生じ、検査作業者が疲労し易い、短時間で作業効率が低下する、という問題も発生することがない。
【００３１】
又、対向する白色チップ５８とＲＧＢチップ５９との間に配線カプラ６０を配置したものであるから、隣接するＬＥＤ装着体５３，５３の配線カプラ６０，６０間を配線で連結することができ、各ＬＥＤ装着体５３を配線で連結するのが容易であり、連結作業に時間を要しない。
【００３２】
ＬＥＤ装着体５３は、プリント基板５７の挿通孔５７ａ，５７ａにネジ５６，５６を挿通することによって、支持板５２に固定できるようになっている。
【００３３】
被覆部材５５は、ポリカーボネート、アクリル等の無色透明な合成樹脂によって成形されており、ＬＥＤ装着体５３を被覆するよう配設してある。
【００３４】
さらに、図７に示すように、搬送装置２の側面フレーム１１の上端部と側面フレーム１２の上端部に渡って、保護板材６８が配置されており、保護板材６８も、ポリカーボネート、アクリル等の無色透明な合成樹脂によって成形されている。
【００３５】
制御装置５は、筺体７１内に電源７２、駆動制御回路基板７３、発光制御回路基板７４等を配設したものであって、筺体７１の表面パネル７１ａには、モータ駆動ボタン７５、モータ停止ボタン７６、ＬＥＤ発光ボタン７７、非常停止ボタン７８を配設してある。
【００３６】
駆動制御回路基板７３には、回転速度調整ダイヤルが配設されており、回転速度調整ダイヤルを適宜操作することによって、駆動モータ２２の回転速度を設定できるようになっている。
【００３７】
発光制御回路基板７４には、半導体発光素子（ＬＥＤ）６１，６４，６５，６６の各発光量調整ダイヤルが配設されており、発光量調整ダイヤルを適宜操作することによって、半導体発光素子（ＬＥＤ）６１，６４，６５，６６を発光可能にすると共に、発光量を設定できるようになっている。
【００３８】
予め駆動モータ２２の回転速度を設定し、半導体発光素子（ＬＥＤ）６１，６４，６５，６６の各発光量を設定した後に、モータ駆動ボタン７５を押下すれば、駆動モータ２２が駆動し、搬送ベルト１６が移動を開始する。モータ停止ボタン７６を押下すれば、駆動モータ２２が停止し、搬送ベルト１６が停止する。
又、ＬＥＤ発光ボタン７７を押下すれば、発光可能とされた半導体発光素子（ＬＥＤ）６１，６４，６５，６６が設定した発光量で発光を開始する。
【００３９】
ここで、搬送ベルト１６面での照度としては、半導体発光素子６１（白色）は５０〜７０ｌｍ（ルーメン）／ｃｍ２、半導体発光素子６４（赤色）は２５〜４５ｌｍ／ｃｍ２、半導体発光素子６５（緑色）は５０〜７０ｌｍ／ｃｍ２、半導体発光素子６６（青色）は５〜２５ｌｍ／ｃｍ２ に設定するのが好ましい。半導体発光素子６４，６５，６６の数値は、各色を加法混合させた場合を配慮するものである。
【００４０】
搬送ベルト１６が異常な動作をしたり、半導体発光素子（ＬＥＤ）６１，６４，６５，６６が異常に発光したりした場合等、非常事態が発生した場合には、非常停止ボタン７８を押下すれば、光透過性物品検査装置１の電源７２が遮断され、直ちに停止するようになっている。
【００４１】
本発明の光透過性物品検査装置１は、以上のような構成であるから、予め、装置管理者は、検査する物品に対応させて、駆動モータ２２の回転速度を設定すると共に、半導体発光素子（ＬＥＤ）６１，６４，６５，６６の発光の可否、発光量を設定しておく。
【００４２】
物品の検査時には、検査作業者は、先ず、ＬＥＤ発光ボタン７７を押下することによって、適宜半導体発光素子（ＬＥＤ）６１，６４，６５，６６を所定の発光量で発光させることができる。
【００４３】
この時、半導体発光素子（ＬＥＤ）６１のみを発光可能に設定しておけば、ＬＥＤ装着体５３の半導体発光素子（ＬＥＤ）６１にのみ電圧が印加され、白色光のみが発光し、被覆部材５５、保護板材６８を透過し、半透明の搬送ベルト１６に照射される。
【００４４】
又、半導体発光素子（ＬＥＤ）６４，６５，６６の何れかのみを発光可能に設定しておけば、ＲＧＢチップ５９の半導体発光素子（ＬＥＤ）６４，６５，６６の何れかのみ電圧が印加され、赤色、緑色又は青色の何れかのみが発光し、被覆部材５５、保護板材６８を透過し、半透明の搬送ベルト１６に照射される。
【００４５】
又、半導体発光素子（ＬＥＤ）６４，６５，６６の何れかを同時に発光可能に設定しておけば、ＲＧＢチップ５９の半導体発光素子（ＬＥＤ）６４，６５，６６の何れかに同時に電圧が印加され、赤色、緑色又は青色の何れかが同時に発光し、加法混色によって所定の色彩の光となり、被覆部材５５、保護板材６８を透過し、半透明の搬送ベルト１６に照射される。
【００４６】
検査作業者は、次に、モータ駆動ボタン７５を押下することによって、駆動モータ２２を駆動させ、所定速度で搬送ベルト１６を移動させることができる。
そして、搬送ベルト１６上に野菜、果物等の食料品を戴置すれば、食料品を搬送ベルト１６によって搬送することができる。
【００４７】
食料品が半導体発光素子（ＬＥＤ）６１，６４，６５，６６の照射領域に到達したら、検査作業者は、白色光又は所定の色彩の光が照射された食料品を目視し、食料品の内部に毛髪、ごみ、小さな虫等の異物が混入していないか検査する。
そして、毛髪、ごみ、小さな虫等の異物が混入している場合には、検査作業者は、その食料品を搬送ベルト１６上から取り除き、又は、搬送ベルト１６の側端部に異動させ、優良品と不良品とを選別する。
【００４８】
通常は、白色光を照射して物品を検査する場合が多いが、白色の豆腐を透明の合成樹脂フィルムで包装した物品を検査する場合には、白色以外の赤色、緑色又は青色の光を照射した方が、合成樹脂フィルムに混入した異物、損傷又は破損個所をより容易に確認することができる。
【００４９】
又、外葉、外皮に緑色、赤色等の色彩を有する野菜、果物にあっては、外葉、外皮の色彩と異なる色彩の光を照射した方が、野菜の内葉、果物の果肉に混入した異物をより容易に確認することができる。
【００５０】
本発明の物品検査装置１は、半導体発光素子（ＬＥＤ）６１，６４，６５，６６を使用しており、光がちらつくことなく、安定的に照射されるから、検査作業者が疲労し難く、長時間に渡って検査作業の効率を維持することができる。又、視力を損なう虞もなく、健康上にも問題はない。
【００５１】
又、白色光だけではなく、赤色光、緑色光又は青色光を選択して、さらには、それらの色彩を加法混色した適宜色彩の光を選択して、発光させることができるから、青色、赤色、黄色等の物品の色彩に対応した適宜色彩の光を照射することができて、物品の内部を目視するのをより容易にして、検査を効率的にすることができる。
【００５２】
さらに、半導体発光素子（ＬＥＤ）６１，６４，６５，６６を使用しているから、消費電力も小さくなり、電気料金を削減することができると共に、照射装置を小さくすることができ、装置全体も小型にすることができる。
【００５３】
上記実施形態において、ＬＥＤ装着体５３は、プリント基板５７に所定間隔で白色チップ５８及びＲＧＢチップ５９を配置したものであったが、図１１に示すように、プリント基板７２に所定間隔で白色チップ５８及び配線カプラ６０を配置したＬＥＤ装着体７１を使用してもよい。同様に、プリント基板７２の両端部寄りには挿通孔７２ａ，７２ａを穿設してある。
【００５４】
上記実施形態においては、ＬＥＤ装着体５３又はＬＥＤ装着体７１のみを支持板５２に固定しているが、ＬＥＤ装着体５３及びＬＥＤ装着体７１を交互に支持板５２に配置、固定するようにしてもよい。
【００５５】
尚、本発明の物品検査装置１は、上記実施形態で説明したものに限らず、キャスター３７，３７，・・・を採用せずに、固定用の支持架台に変更したものであってもよい。
【００５６】
さらに、図１２乃至図１４に示すように、搬送装置２又は支持架台３を別体とした物品検査装置１０１を採用してもよい。
【００５７】
この物品検査装置１０１は、支持機構１０２と、照射装置１０３と、制御装置１０４とから構成される。
【００５８】
支持機構１０２は、支柱１０５と、脚体１０６と、キャスター１０７，１０７，１０７，１０７とから構成される。
【００５９】
支柱１０５は、下側支柱１０８と上側支柱１０９とから成り、上側支柱１０９は伸縮自在となっている。
脚体１０６は、左側脚体１１０と右側脚体１１１とを連結部材１１２によって連結してあり、この連結部材１１２上に下側支柱１０８を固着してある。
又、左側脚体１１０及び右側脚体１１１の両端部には、キャスター１０７，１０７，１０７，１０７を装着してある。
【００６０】
照射装置１０３は、昇降部材１１３と、支持部材１１４，１１４と、照射枠体１１５とから構成される。
【００６１】
昇降部材１１３は、平面から見てＴ字型を呈する部材であって、基端部を前記上側支柱１０９の上端部に固着してあり、先端部の両端に支持部材１１４，１１４を回動自在に固定してある。
【００６２】
支持部材１１４，１１４は、上端部を前記昇降部材１１３の先端部の両側に軸支すると共に、下端部を照射枠体１１５の上面に固着してある。
【００６３】
照射枠体１１５は、支持部材１１６と、支持板５２，５２，５２と、複数のＬＥＤ装着体５３と、被覆部材１１７とから構成される。
【００６４】
照射枠体１１５の内部に支持部材１１６を配設し、その支持部材１１６の下面に支持板５２，５２，５２をネジ５６，５６，・・・によって固定してあり、照射枠体１１５の下面に被覆部材１１７を配設してある。
【００６５】
ここで、支持板５２，５２，５２及びＬＥＤ装着体５３は、上記実施形態のものと同様の構成であり、被覆部材１１７は、前記被覆部材５５と同様な材料から構成されるものである。
【００６６】
制御装置１０４は、筺体１１８内に電源１１９、発光制御回路基板１２０等を配設したものであって、前記下側支柱１０８の後面に固着してある。
【００６７】
本発明の物品検査装置１０１は、以上のような構成であるから、支柱１０５の前方位置に別体の搬送装置又は支持架台を配置し、上方に位置させた照射枠体１１５からその搬送装置又は支持架台に光を照射することによって、物品検査装置１と略同様の作用、効果を
奏することができる。
【符号の説明】
【００６８】
１  物品検査装置
２  搬送装置
３  支持架台
４  照射装置
５  制御装置
１６  搬送ベルト
５３  ＬＥＤ装着体
５７  プリント基板
５８  白色チップ
５８ａ  微小孔
５９  ＲＧＢチップ
５９ａ  微小孔
６０  配線カプラ
６１  半導体発光素子
６３  窓枠
６４，６５，６６  半導体発光素子
６７  被覆層
【図１】
0006480714.tif 000002
【図２】
0006480714.tif 000003
【図３】
0006480714.tif 000004
【図４】
0006480714.tif 000005
【図５】
0006480714.tif 000006
【図６】
0006480714.tif 000007
【図７】
0006480714.tif 000008
【図８】
0006480714.tif 000009
【図９】
0006480714.tif 000010
【図１０】
0006480714.tif 000011
【図１１】
0006480714.tif 000012
【図１２】
0006480714.tif 000013
【図１３】
0006480714.tif 000014
【図１４】
0006480714.tif 000015